(57)【特許請求の範囲】
【請求項１】
交換網と、上記交換網を介して接続された発信固定端末及び着信端末とを有し、上記発信固定端末の所在を表わす位置情報を上記着信端末に提供する位置情報サービスシステムにおいて、
上記発信固定端末で、暗号化鍵を用いて上記位置情報を暗号化する段階と、上記暗号化された位置情報を上記交換網を介して上記着信端末に送信する段階と、
上記着信端末で、上記発信固定端末から受信した上記暗号化された位置情報を復号化鍵を用いて復号化する段階と、上記復号化された位置情報を処理する段階とを有する位置情報利用方法であって、
上記発信固定端末において、鍵更新センタから配送された暗号化鍵を用いて上記位置情報を暗号化する処理、または、上記鍵更新センタで更新される復号化鍵と同期して更新される暗号化鍵を用いて上記位置情報を暗号化する処理、のいずれかを行う暗号化鍵を用いて上記位置情報を暗号化する段階を有し、
上記鍵更新センタにおいて、上記発信固定端末の暗号化鍵を定期的に変更して発信固定端末に送信する処理、または、上記発信固定端末内で定期的に更新される暗号化鍵と同期して上記鍵更新センタ内において該発信固定端末に対応する暗号化鍵を変更する処理、のいずれかを行い、位置情報の復号化を行なうことが許可された着信端末を選択し、上記選択された着信端末に対し上記更新された暗号化鍵に対応して復号化鍵を更新し、上記更新された復号化鍵を配布する鍵更新段階を有する位置情報利用方法。
【請求項２】
上記鍵更新段階は、
鍵更新センタにおいて、暗号化鍵及び対応した復号化鍵を定期的に更新し、上記更新された暗号化鍵を上記発信固定端末に配布し、上記更新された復号化鍵を上記選択された着信端末に配布する段階と、
上記更新された暗号化鍵が配布された上記発信固定端末が自端末に保持している暗号化鍵を更新し、上記更新された復号化鍵が配布された上記選択された着信端末が自端末に保持している復号化鍵を更新する段階と、を含む、請求項１記載の位置情報利用方法。
【請求項３】
上記鍵更新段階は、
鍵更新センタにおいて、復号化鍵を定期的に更新し、上記更新された復号化鍵を上記選択された着信端末に配布する段階と、
上記発信固定端末が上記鍵更新センタにおける上記復号化鍵の更新に同期して、自端末において、上記更新された復号化鍵に対応するよう暗号化鍵を生成し、上記更新された復号化鍵が配布された上記選択された着信端末が自端末に保持している復号化鍵を更新する段階と、を含む、請求項１記載の位置情報利用方法。
【請求項４】
上記暗号化鍵を用いて位置情報を暗号化する段階は、
上記発信固定端末において、上記暗号化鍵及び上記着信端末の識別情報を用いてユーザ鍵を作成する段階と、
上記ユーザ鍵を用いて上記位置情報を暗号化する段階と、を有し、
上記鍵更新段階は、
上記鍵更新センタにおいて、
上記選択された着信端末に対し、上記更新された暗号化鍵及び上記選択された着信端末の識別情報を用いてユーザ鍵を作成し、上記作成されたユーザ鍵を上記復号化鍵として配布する請求項１乃至３のうちいずれか一項記載の位置情報利用方法。
【請求項５】
交換網と、上記交換網を介して接続された発信固定端末及び着信端末とを有し、上記発信固定端末の所在を表わす位置情報を上記着信端末に提供する位置情報サービスシステムであって、
上記発信固定端末の暗号化鍵を定期的に変更して上記発信固定端末に送信する処理、
または、
上記発信固定端末内で定期的に更新される暗号化鍵と同期して当該鍵更新センタ内において該発信固定端末に対応する暗号化鍵を変更する処理、のいずれかを行い、
位置情報の復号化を行なうことが許可された着信端末を選択し、上記選択された着信端末に対し上記更新された暗号化鍵に対応して復号化鍵を更新する鍵更新手段と、
上記更新された復号化鍵を配布する鍵配送手段と、
を有する鍵更新センタを更に有し、
上記発信固定端末は、
上記鍵更新センタから配送された暗号化鍵を用いて上記位置情報を暗号化する処理、または、上記鍵更新センタで更新される復号化鍵と同期して更新される暗号化鍵を用いて上記位置情報を暗号化する処理、のいずれかを行う暗号化鍵を用いて上記位置情報を暗号化する手段と、
上記暗号化された位置情報を上記交換網を介して上記着信端末に送信する手段と、
を有し、
上記着信端末は、
上記発信固定端末から上記暗号化された位置情報を受信する手段と、
受信した上記暗号化された位置情報を復号化鍵を用いて復号化する手段と、
上記復号化された位置情報を処理する手段と、
を有する位置情報サービスシステム。
【請求項６】
交換網と、上記交換網を介して接続された発信固定端末及び着信端末とを有し、上記発信固定端末の所在を表わす位置情報を上記着信端末に提供する位置情報サービスシステムにおいて、
暗号化鍵を用いて上記位置情報を暗号化する段階と、
上記暗号化された位置情報を上記交換網を介して上記着信端末に送信する段階とを有する発信固定端末の位置情報利用方法であって、
上記発信固定端末において、自端末の暗号化鍵を定期的に更新する際に、更新の度に異なり、上記鍵更新センタと上記発信固定端末で共に持つ固有の情報に基づいて該暗号化鍵を上記鍵更新センタ内の該発信固定端末に対応する暗号化鍵に同期して更新する段階を有する位置情報利用方法。
【請求項７】
交換網と、上記交換網を介して接続された発信固定端末及び着信端末とを有し、上記発信固定端末の所在を表わす位置情報を上記着信端末に提供する位置情報サービスシステムにおいて、
上記位置情報を記憶する手段と、
暗号化鍵を記憶する手段と、
上記暗号化鍵を用いて上記位置情報を暗号化する手段と、
上記暗号化された位置情報を上記交換網を介して上記着信端末に送信する手段と、
自端末の暗号化鍵を定期的に更新する際に、更新の度に異なり、上記鍵更新センタと上記発信固定端末で共に持つ固有の情報に基づいて該暗号化鍵を上記鍵更新センタ内の該発信固定端末に対応する暗号化鍵に同期して更新する手段とを有する発信固定端末。
【請求項８】
交換網と、上記交換網を介して接続された発信固定端末及び着信端末とを有し、上記発信固定端末の所在を表わす位置情報を上記着信端末に提供する位置情報サービスシステムにおいて、上記発信固定端末に搭載される位置情報利用プログラムが格納された記録媒体であって、
暗号化鍵を用いて上記位置情報を暗号化させるステップと、
自端末の暗号化鍵を定期的に更新する際に、更新の度に異なり、上記鍵更新センタと上記発信固定端末で共に持つ固有の情報に基づいて該暗号化鍵を上記鍵更新センタ内の該発信固定端末に対応する暗号化鍵に同期して更新させるステップとを、発信固定端末に実行させる位置情報利用プログラムが格納された記録媒体。
【請求項９】
交換網と、上記交換網を介して接続された発信固定端末及び着信端末とを有し、上記発信固定端末が上記発信固定端末の所在を表わす位置情報を暗号化して上記着信端末に送信し、上記着信端末が上記暗号化された位置情報を復号化する位置情報サービスシステムにおいて、
鍵更新センタが、
上記発信固定端末で位置情報を暗号化するための暗号化鍵を定期的に変更して該発信固定端末に送信する処理、
または、
上記発信固定端末内で定期的に更新される暗号化鍵と同期して上記鍵更新センタ内において該発信固定端末に対応する暗号化鍵を変更する処理の、いずれかを行い、
位置情報の復号化を行なうことが許可された着信端末を選択し、上記選択された着信端末に対し上記更新された暗号化鍵に対応して復号化鍵を更新する段階と、
上記更新された復号化鍵を上記選択された着信端末に配布する段階と、を有する鍵更新センタの位置情報利用方法。
【請求項１０】
交換網と、上記交換網を介して接続された発信固定端末及び着信端末とを有し、上記発信固定端末が上記発信固定端末の所在を表わす位置情報を暗号化して上記着信端末に送信し、上記着信端末が上記暗号化された位置情報を復号化する位置情報サービスシステムにおいて、
上記発信固定端末で位置情報を暗号化するための暗号化鍵を定期的に変更して該発信固定端末に送信する処理、
または、
上記発信固定端末内で定期的に更新される暗号化鍵と同期して鍵更新センタ内において該発信固定端末に対応する暗号化鍵を変更する処理、のいずれかを行い、
位置情報の復号化を行うことが許可された着信端末を選択し、上記選択された着信端末に対し上記更新された暗号化鍵に対応して復号化鍵を更新する手段と、
上記更新された復号化鍵を上記選択された着信端末に配布する手段と、を有する鍵更新センタ。
【請求項１１】
交換網と、上記交換網を介して接続された発信固定端末及び着信端末とを有し、上記発信固定端末が上記発信固定端末の所在を表わす位置情報を暗号化して上記着信端末に送信し、上記着信端末が上記暗号化された位置情報を復号化する位置情報サービスシステムにおいて、暗号化及び復号化の鍵を更新する鍵更新センタに搭載される位置情報利用プログラムを格納した記録媒体であって、
上記発信固定端末で位置情報を暗号化するための暗号化鍵を定期的に変更して該発信固定端末に配送する処理、
または、
上記発信固定端末で定期的に更新される暗号化鍵と同期して上記鍵更新センタ内において該発信固定端末に対応する暗号化鍵を変更する処理、のいずれかを行い、
位置情報の復号化を行うことが許可された着信端末を選択し、上記選択された着信端末に対し上記更新された暗号化鍵に対応して復号化鍵を更新されるステップと、
上記更新された復号化鍵を上記選択された着信端末に配布させるステップとを、鍵更新センタに実行させる位置情報利用プログラムを格納した記録媒体。
【発明の詳細な説明】
【０００１】
【発明の属する技術分野】
本発明は、公衆電話機のような発呼端末（又は発信端末）の設置場所を被呼端末（又は着信端末）に通知する位置情報サービスシステムに係わり、特に、位置情報サービスシステムのセキュリティを保障する技術に関する。
【０００２】
【従来の技術】
従来、発信者の住所などの位置情報を着信者に提供するサービスとして、警察・消防回線のような特別な電話番号の着信者に対する発信地紹介サービスが提案されている（特開平08-204835）。このサービスでは、発信者の発呼端末の電話番号又は端末ＩＤを利用してセンタで位置情報を獲得し、着信者に位置情報を提供する。
【０００３】
また、特開平08-204841には、発信者が公衆電話機を用いて自分の現在位置を相手に知らせるとともに、発信者自身も現在位置情報を得ることができる公衆電話位置情報システムが開示されている。このシステムでは、発信者が公衆電話機の電話番号や識別コードを基地局（センタ）へ送信し、基地局はこの発信者から送信された情報に基づいて位置情報を検索し、検索結果を受信局に送信する。位置情報の具体例には、所在地名、地図表示が含まれる。
【０００４】
また、近年開始された発信者番号通知サービスを利用することにより、交換網の外部でも発信者の電話番号を知ることが可能になるので、電話番号とその電話番号に関連した位置情報とを対応付けしたデータベースなどを構築して発信者の位置情報を提供できるようになる。
【０００５】
一方、位置情報サービスの円滑な運用のためには、利用者が望む適切な情報を提供できるだけではなく、一般に、サービス料の適切な課金が必要であると考えられる。さらに、サービス料の適切な課金を行なうため、サービスに関連した情報の秘匿性の向上や情報の改竄の防止などの情報セキュリティ技術が重要になる。
【０００６】
従来技術における位置情報サービスへの課金方式として、たとえば、特開平10-326075に記載された発明によれば、ＩＣカード対応のデジタル公衆電話機を利用してその公衆電話機周辺の店舗等の行き先案内サービスを提供する方法において、公衆電話機からサービスセンタにダイヤルした際の通話料がＩＣカードや現金から清算される。
【０００７】
【発明が解決しようとする課題】
上記の従来技術の説明からわかるように、発信者の発信端末の端末ＩＤ、たとえば、電話番号を知ることができる場合、電話番号をインデックスとした位置情報データベースを構築することにより、交換網の内外を問わずに発信端末の設置場所に関する位置情報を提供することができる。しかし、発信端末の電話番号は、一般には、発信者番号通知サービスを利用しない限り、着信者が知ることのできない情報であり、実際、電話番号を非通知・非公開としている加入者端末が数多く存在する。さらに、公衆電話機においては、その電話番号は非公開とされる。
【０００８】
また、サービス提供者が電話番号をインデックスとして位置情報データベースを構築した場合、サービス利用者がサービス利用時に電話番号と位置情報の対を蓄積することによって、サービス提供者の位置情報データベースのサブセットを構築することが可能である。その場合、サービス利用者は、一旦サービスを利用した電話番号と同じ電話番号については、サービス提供者からのサービスを受けずに位置情報を取得でき、サービス提供者はサービス利用者に対し位置情報の利用料を適正に課金できない。
【０００９】
したがって、本発明は、発信端末の電話番号の秘密性を保ったまま発信端末の設置場所を着信端末に通知する位置情報サービスシステムの提供を目的とする。
【００１０】
また、本発明は、サービス利用者に適正な課金が行なえるように、定期契約を締結するなどしてサービス利用の許可を与えられた着信端末だけがサービスを利用できる位置情報提供サービスシステムの提供を目的とする。
【００１１】
さらに、本発明は、位置情報利用の際に通信の負荷が発生しないように、着信端末がサービス提供者に問い合わせを行なうことなく位置情報サービスを受けることができるシステムの提供を目的とする。
【００１２】
さらに、本発明は、サービス提供者と契約を締結していない不正な着信端末が不正にサービスを利用できないようなシステムの提供を目的とする。
【００１３】
また、本発明は、上記位置情報サービスシステムにおける位置情報利用方法、発信端末、鍵更新センタ並びに着信端末の提供を目的とする。
【００１４】
【課題を解決するための手段】
上記の目的を達成するため、本発明によれば、発信端末は、位置情報と、暗号化鍵を使って位置情報を暗号化する手段とを有し、定期的に（契約期限時には必ず）更新される暗号化鍵を使って位置情報を暗号化して着信端末に送信する。着信端末は、復号化鍵と、復号化鍵を使って暗号化位置情報を復号化する手段とを有し、契約時、或いは、発信端末の暗号化鍵更新時に鍵更新センタから配布された符号化鍵を使って、発信端末から送られてきた暗号化位置情報を復号化し、位置情報を取得する。
【００１５】
さらに、本発明によれば、鍵更新センタから着信端末へ着信端末電話番号のような着信端末識別情報を入れ込んだ鍵を配布しておくことで、発信端末で着信端末識別情報を入れ込んだ鍵を生成して位置情報を暗号化して送信したときに、着信端末で復号化して位置情報を得る。
【００１６】
図１は、本発明の原理構成図である。
【００１７】
請求項１に係る発明は、交換網７と、上記交換網７を介して接続された発信固定端末１及び着信端末３とを有し、上記発信固定端末１の所在を表わす位置情報を上記着信端末３に提供する位置情報サービスシステムにおいて、
上記発信固定端末１で、暗号化鍵を用いて上記位置情報を暗号化する段階と、上記暗号化された位置情報を上記交換網７を介して上記着信端末３に送信する段階と、
上記着信端末３で、上記発信固定端末１から受信した上記暗号化された位置情報を復号化鍵を用いて復号化する段階と、上記復号化された位置情報を処理する段階とを有する位置情報利用方法であって、
上記発信固定端末１において、鍵更新センタ５から配送された暗号化鍵を用いて上記位置情報を暗号化する処理、または、上記鍵更新センタで更新される復号化鍵と同期して更新される暗号化鍵を用いて上記位置情報を暗号化する処理、のいずれかを行う暗号化鍵を用いて上記位置情報を暗号化する段階を有し、
上記鍵更新センタ５において、上記発信固定端末１の暗号化鍵を定期的に変更して発信固定端末１に送信する処理、または、上記発信固定端末１内で定期的に更新される暗号化鍵と同期して上記鍵更新センタ５内において該発信固定端末１に対応する暗号化鍵を変更する処理、のいずれかを行い、位置情報の復号化を行なうことが許可された着信端末３を選択し、上記選択された着信端末３に対し上記更新された暗号化鍵に対応して復号化鍵を更新し、上記更新された復号化鍵を配布する鍵更新段階を有する。
【００１８】
請求項２に係る発明によれば、上記鍵更新段階は、
鍵更新センタ５において、暗号化鍵及び対応した復号化鍵を定期的に更新し、上記更新された暗号化鍵を上記発信端末１に配布し、上記更新された復号化鍵を上記選択された着信端末３に配布する段階と、
上記更新された暗号化鍵が配布された上記発信端末１が自端末に保持している暗号化鍵を更新し、上記更新された復号化鍵が配布された上記選択された着信端末３が自端末に保持している復号化鍵を更新する段階とを含む。
【００１９】
請求項３に係る発明によれば、上記鍵更新段階は、
鍵更新センタ５において、復号化鍵を定期的に更新し、上記更新された復号化鍵を上記選択された着信端末３に配布する段階と、
上記発信固定端末１が上記鍵更新センタ５における上記復号化鍵の更新に同期して、自端末において、上記更新された復号化鍵に対応するよう暗号化鍵を生成し、上記更新された復号化鍵が配布された上記選択された着信端末３が自端末に保持している復号化鍵を更新する段階と、を含む。
【００２０】
請求項４に係る発明によれば、上記暗号化鍵を用いて位置情報を暗号化する段階は、
上記発信固定端末において、上記暗号化鍵及び上記着信端末の識別情報を用いてユーザ鍵を作成する段階と、
上記ユーザ鍵を用いて上記位置情報を暗号化する段階と、を有し、
上記鍵更新段階は、
上記鍵更新センタ５において、
上記選択された着信端末３に対し、上記更新された暗号化鍵及び上記選択された着信端末３の識別情報を用いてユーザ鍵を作成し、上記作成されたユーザ鍵を上記復号化鍵として配布する。
【００２１】
請求項５に係る発明は、交換網７と、上記交換網７を介して接続された発信固定端末１及び着信端末３とを有し、上記発信固定端末１の所在を表わす位置情報を上記着信端末３に提供する位置情報サービスシステムであって、
上記発信固定端末１の暗号化鍵を定期的に変更して上記発信固定端末１に送信する処理、または、
上記発信固定端末１内で定期的に更新される暗号化鍵と同期して鍵更新センタ５内において該発信固定端末に対応する暗号化鍵を変更する処理、のいずれかを行い、
位置情報の復号化を行うことが許可された着信端末３を選択し、上記選択された着信端末３に対し、上記更新された暗号化鍵に対応して復号化鍵を更新する鍵更新手段５１と、
上記更新された復号化鍵を配布する鍵配送手段５２と、
を有する鍵更新センタを更に有し、
上記発信固定端末１は、
上記鍵更新センタ５から配送された暗号化鍵を用いて上記位置情報を暗号化する処理、または、上記鍵更新センタで更新される復号化鍵と同期して更新される暗号化鍵を用いて上記位置情報を暗号化する処理、のいずれかを行う暗号化鍵を用いて上記位置情報を暗号化する手段１２と、
上記暗号化された位置情報を上記交換網を介して上記着信端末に送信する手段１１と、を有し、
上記着信端末３は、
上記発信固定端末１から受信した上記暗号化された位置情報を受信する手段３１と、
上記受信した暗号化された位置情報を復号化鍵を用いて復号化する手段３２と、
上記復号化された位置情報を処理する手段３３と、
を有する。
【００２２】
請求項６に係る発明は、交換網７と、上記交換網７を介して接続された発信固定端末１及び着信端末３とを有し、上記発信固定端末１の所在を表わす位置情報を上記着信端末３に提供する位置情報サービスシステムにおいて、
暗号化鍵を用いて上記位置情報を暗号化する段階と、
上記暗号化された位置情報を上記交換網を介して上記着信端末３に送信する段階とを有する発信固定端末１の位置情報利用方法であって、
上記発信固定端末１において、自端末１の暗号化価値を定期的に更新する際に、更新の度に異なり、上記鍵更新センタ５と上記発信固定端末１で共に持つ固有の情報に基づいて該暗号化鍵を上記鍵更新センタ５内の該発信固定端末に対応する暗号化鍵に同期して更新する段階を有する。
【００２３】
請求項７に係る発明は、交換網７と、上記交換網７を介して接続された発信固定端末１及び着信端末３とを有し、上記発信固定端末１の所在を表わす位置情報を上記着信端末３に提供する位置情報サービスシステムにおいて、
上記位置情報を記憶する手段１３と、
暗号化鍵を記憶する手段１５と、
上記暗号化鍵を用いて上記位置情報を暗号化する手段１２と、
上記暗号化された位置情報を上記交換網７を介して上記着信端末３に送信する手段１１と、
自端末の暗号化鍵を定期的に更新する際に、更新の度に異なり、上記鍵更新センタ５と上記発信固定端末１で共に持つ固有の情報に基づいて該暗号化鍵を上記鍵更新センタ５内の該発信固定端末に対応する暗号化鍵に同期して更新する手段１４を有する発信固定端末１である。
【００２４】
請求項８に係る発明は、交換網７と、上記交換網７を介して接続された発信固定端末１及び着信端末３とを有し、上記発信固定端末１の所在を表わす位置情報を上記着信端末３に提供する位置情報サービスシステムにおいて、上記発信固定端末１に搭載される位置情報利用プログラムが格納された記録媒体であって、
暗号化鍵を用いて上記位置情報を暗号化させるステップと、
自端末の暗号化鍵を定期的に更新する際に、更新の度に異なり、上記鍵更新センタ５と上記発信固定端末１で共に持つ固有の情報に基づいて該暗号化鍵を上記鍵更新センタ５内の該発信固定端末に対応する暗号化鍵に同期して更新させるステップとを、発信固定端末１に実行させる位置情報利用プログラムが格納された記録媒体である。
【００２８】
請求項９に係る発明は、交換網７と、上記交換網７を介して接続された発信固定端末１及び着信端末３とを有し、上記発信固定端末１が上記発信固定端末３の所在を表わす位置情報を暗号化して上記着信端末３に送信し、上記着信端末３が上記暗号化された位置情報を復号化する位置情報サービスシステムにおいて、
鍵更新センタ５が、
上記発信固定端末１で位置情報を暗号化するための暗号化鍵を定期的に変更して該発信固定端末１に送信する処理、
または、
上記発信固定端末１内で定期的に更新される暗号化鍵と同期して上記鍵更新センタ５内において該発信固定端末１に対応する暗号化鍵を変更する処理、のいずれかを行い、
位置情報の復号化を行なうことが許可された着信端末３を選択し、上記選択された着信端末３に対し上記更新された暗号化鍵に対応して復号化鍵を更新する段階と、
上記更新された復号化鍵を上記選択された着信端末３に配布する段階と、を有する鍵更新センタの位置情報利用方法である。
【００２９】
請求項１０に係る発明は、交換網７と、上記交換網７を介して接続された発信固定端末１及び着信端末３とを有し、上記発信固定端末１が上記発信固定端末１の所在を表わす位置情報を暗号化して上記着信端末３に送信し、上記着信端末３が上記暗号化された位置情報を復号化する位置情報サービスシステムにおいて、
上記発信固定端末１で位置情報を暗号化するための暗号化鍵を定期的に変更して該発信固定端末１に送信する処理、
または、
上記発信固定端末１内で定期的に更新される暗号化鍵と同期して鍵更新センタ５内において該発信固定端末１に対応する暗号化鍵を変更する処理、のいずれかを行い、
位置情報の復号化を行うことが許可された着信端末３を選択し、上記選択された着信端末３に対し、上記更新された暗号化鍵に対応して復号化鍵を更新する手段５１と、
上記更新された復号化鍵を上記選択された着信端末３に配布する手段５２と、を有する鍵更新センタである。
【００３０】
請求項１１に係る発明は、交換網７と、上記交換網７を介して接続された発信固定端末１及び着信端末３とを有し、上記発信固定端末１が上記発信固定端末１の所在を表わす位置情報を暗号化して上記着信端末３に送信し、上記着信端末３が上記暗号化された位置情報を復号化する位置情報サービスシステムにおいて、暗号化及び復号化の鍵を更新する鍵更新センタに搭載される位置情報利用プログラムを格納した記録媒体であって、
上記発信固定端末１で位置情報を暗号化するための暗号化鍵を定期的に変更して該発信固定端末に配送する処理、
または、
上記発信固定端末１で定期的に更新される暗号化鍵と同期して当該鍵更新センタ５内において上記発信固定端末１に対応する暗号化鍵を変更する処理、のいずれかを行い、
位置情報の復号化を行なうことが許可された着信端末３を選択し、上記選択された着信端末３に対し上記更新された暗号化鍵に対応して復号化鍵を更新させるステップと、
上記更新された復号化鍵を上記選択された着信端末３に配布させるステップと、を鍵更新センタに実行させる位置情報利用プログラムを格納した記録媒体である。
【００３１】
【発明の実施の形態】
図２は、本発明の第１の実施例の位置情報サービスシステムのシステム構成図である。同図に示されたシステムは、交換網７００と、交換網７００に接続された複数ｎ台の発信端末１００１、１００２、．．．、１００ｎ（以下の説明では、一般的に発信端末１００と表わす場合がある）と、複数ｍ台の着信端末３００１、３００２、．．．、３００ｍ（以下の説明では、一般的に着信端末３００と表わす場合がある）と、鍵更新センタ５００とにより構成される。
【００３２】
着信端末３００は、鍵更新センタ５００から交付された復号化鍵を用いることにより、発信端末１００から送られた暗号化位置情報を復号化し、位置情報を得ることができる。このように、着信端末３００は、発信端末１００と鍵更新センタ５００を運営・管理する事業者からの位置情報サービスを享受する。したがって、この事業者は着信端末のユーザから適正なサービス料を回収するため、着信端末のユーザとの間で定期契約を締結する。具体的には、着信端末のユーザは、ある期間に亘って鍵更新センタから復号化鍵が交付され、鍵更新センタは、その復号化鍵の交付料の形でサービス料を回収する。
【００３３】
典型的な例では、発信端末１００は公衆電話機のような電話機であり、着信端末３００はパーソナルコンピュータである。
【００３４】
鍵更新センタ５００は、契約中の着信端末３００だけが位置情報を復号化できるようにするため、暗号化鍵と復号化鍵の対を契約期間に応じて、たとえば、定期的に更新する。そして、更新した鍵を発信端末及び着信端末に供給する。この鍵を供給するため、たとえば、電話交換網、インターネットなどの通信ネットワーク、放送波、或いは、ＣＤ−ＲＯＭなどの可搬性記憶媒体を含む種々の手段を利用することができる。本発明は、鍵の供給形態によって限定されない。
【００３５】
また、発信端末は、鍵更新センタから配布された暗号化鍵を使う代わりに、鍵更新センタと同期して自端末内で暗号化鍵を生成するように構成してもよい。
【００３６】
以下では、まず最初に、位置情報サービスシステムの中の鍵更新システムについての幾つかの実施例を説明する。
【００３７】
図３は、本発明の第３の実施例のシステムの略構成図である。同図に示されたシステムは、交換網７００を介して接続された発信端末１００及び着信端末３００と、上記発信端末１００及び着信端末３００に通信網７０１を介して接続された鍵更新センタ５００とを有する。通信網７０１は、たとえば、インターネットである。
発信端末１００は、位置情報記憶部（図示しない）に記憶された位置情報を発信時に暗号化する暗号化部１２０と、暗号化のための暗号化鍵を隠匿して保持する暗号化鍵記憶部１５０と、通信網７０１を介して鍵更新センタ５００から暗号化鍵を受信する暗号化鍵受信部１４０とを有する。本発明の種々の実施例において、位置情報とは、経度・緯度、住所、ビル名、フロア名、部屋番号などのような位置を識別可能な情報を格納できるレコード形式のデータを意味する。暗号化部１２０は、マスタ鍵を用いて位置情報をワンタイム暗号化する。なお、通常の電話機の送受信機能と、発信時に暗号化部で暗号化された位置情報を送信する機能とを有する通信部は図示されていない。
【００３８】
交換網７００は、本例では、ユーザ間情報伝送を行なうネットワークであり、交換機と回線網とにより構成される。交換機は、ユーザ間伝送を行なう電話交換機である。
【００３９】
着信端末３００は、図示しない通常の電話機の機能を行う通信部の他に、発信端末から送られてきた暗号化位置情報を復号化する復号化部３２０を有する。復号化部３２０は、復号化鍵記憶部３５０に格納された復号化鍵を用いて暗号化位置情報を復号化する。復号化鍵受信部３４０は、通信網７０１を介して鍵更新センタ５００から復号化鍵を受信する。復号化部３２０で復号化された位置情報は、たとえば、ディスプレイへの表示などの更なる処理に利用される。
【００４０】
鍵更新センタ５００は、暗号化鍵及びこの暗号化鍵に対応した復号化鍵を定期的に更新する鍵更新部５１０と、更新された暗号化鍵を発信端末１００に配信し、更新された復号化鍵を定期契約をしている着信端末３００に配信する鍵配送部５２０とを有する。
【００４１】
ここで、鍵更新と、課金、特に、定期契約との関係を説明するための例として、発信端末が一般家庭の電話機、着信端末が宅配業者の配達センタである場合を想定する。宅配業者の配達センタは、発信端末から暗号化位置情報を受け取ると、復号化鍵を用いてこの暗号化位置情報を復号化し、発信端末の位置情報、すなわち、品物の配達先を正確に、場合によっては自動的に知ることができる。このような位置情報サービスを実現するためには、発信端末の事業者が発信端末側に自端末の暗号化位置情報を交換網を介して着信端末に通知させる機能を具備させる必要がある。そこで、発信端末の事業者は、例えば、この発信端末の暗号化位置情報通知機能を無料で発信端末に与え、この暗号化位置情報を復号化するための鍵を宅配業者の配達センタに有料で配布する。しかし、復号化鍵が更新されないで常に同じである場合、配達センタは、暗号化位置情報をインデックスとし、このインデックスによって、暗号化位置情報を復号化した位置情報が指定される形式でデータを蓄積することにより発信端末の位置情報データベースを構築することができ、復号化を行わなくても位置情報を獲得でき、発信端末事業者の位置情報サービスが不正に、すなわち、適正な料金を支払わずに利用されてしまう。そこで、発信端末事業者は、契約を締結した配達センタだけに復号化鍵を配付するだけではなく、定期的に復号化鍵を更新し、契約を継続している配達センタだけに更新された復号化鍵を配付する。そのため、発信端末事業者は、新たに鍵配信センタを設け、暗号化鍵と復号化鍵を定期的に更新し、更新された暗号化鍵を発信端末に（無料）で配送すると共に、事業者との間で位置情報提供サービス契約（すなわち、復号化鍵の定期的な配付サービスの契約）をしている配達センタの着信端末だけに復号化鍵を配送する。これにより、定期契約による位置情報提供サービスが実現される。
【００４２】
図４は、本発明の第３の実施例のシステムの略構成図である。本実施例のシステムは、図３に示された第２の実施例のシステムと類似しているが、発信端末１００は、鍵更新センタ５００から更新された暗号化鍵を供給されるのではなく、自端末内で暗号化鍵を生成する。より具体的には、発信端末１００の暗号化鍵生成部１４１は、鍵更新センタ５００で着信端末に配付される復号化鍵を更新するときに時間的に同期して、かつ、鍵更新センタ５００で更新された復号化鍵に暗号化・復号化の意味で対応した暗号化鍵を生成する。
【００４３】
発信端末１００側で、定期的に鍵更新センタ５００に同期して、暗号化鍵を更新する方法の好ましい一実施例では、発信端末と鍵更新センタに内蔵する時計を用いて、発信端末と鍵更新センタの双方で同じ特定の日時（たとえば、毎月１日の午前０時）に鍵を更新する。図５は、本発明の第４の実施例の対称暗号方式による鍵更新方法の説明図であり、図６は、本発明の第５の実施例の非対称暗号方式による鍵更新の説明図である。
【００４４】
図５に示された暗号化鍵と復号化鍵が等しい対称暗号方式では、現在の鍵と時間の少なくとも一方を種として、乱数を発生し、発生された乱数を更新された鍵とする。乱数は、ＭＤ５、ＳＨ等の一方向性ハッシュ関数を乱数発生関数として用いることにより擬似的に生成することができる（“暗号理論入門”岡本栄治著、共立出版、Rivest, R.L. and Dusse, S. :The MD5 message-digest algorithm, Networking Group, INTERNET-draft, 1991）。鍵作成時にソースデータ（現在の鍵、時間など）を入力として、出力されたハッシュ値を更新された暗号化鍵として使用することにより、鍵のランダム性が確保され、また、ソースデータの復元防止が実現されるので、鍵の偽造が阻止される。
【００４５】
図６に示された非対称暗号方式では、最初に、現在（すなわち、更新前）の暗号化鍵と復号化鍵と時間の中の少なくとも一つを種として、一方向性ハッシュ関数を乱数発生関数として用いることにより擬似的に乱数を発生させる。次に、発生された乱数を用いて、文献：“暗号理論入門”岡本栄治著、共立出版に記載されているような方法で暗号化鍵及び復号化鍵を生成する。必要であれば、発信端末では、現在の暗号化鍵を更新後暗号化鍵によって置き換え、次の更新のために生成された復号化鍵を保存し、鍵更新センタでは、現在の復号化鍵を更新後復号化鍵によって置き換え、次の更新のため生成された暗号化鍵を保存する。
【００４６】
次に、復号化鍵の契約者以外の着信端末による復号化鍵の不正使用を防止するための本発明の第６の実施例のユーザ鍵について、図７を参照して説明する。許可されていない着信端末が復号化鍵を利用できないようにするためには、着信端末が暗号化位置情報を復号化するときに使用する復号化鍵を着信端末毎に異なるようにすればよい。そのため、発信端末側で位置情報を暗号化する際に使用する暗号鍵は、着信端末の識別情報、たとえば、着信端末の電話番号を使って生成され、鍵更新センタから着信端末に配付される復号化鍵もその着信端末の電話番号を使って生成する。これにより、発信端末から暗号化位置情報を受信した着信端末は、鍵更新センタから自端末に固有の復号化鍵を供給されていない限り、暗号化位置情報を正しく復号化できない。
【００４７】
一例として、発信端末は、鍵更新センタから配付され、或いは、発信端末内で鍵更新センタに同期して生成したマスタ鍵と着信端末の電話番号との排他的論理和を計算し、その結果を前述の一方向性ハッシュ関数に入力し、その出力結果を暗号化用ユーザ鍵とする。鍵更新センタでは、定期契約をしている着信端末に対し、同様に計算できる復号化用ユーザ鍵を配付する。
【００４８】
図９は、図７に示されたユーザ鍵を利用する本発明の第６の実施例のシステムの略構成図である。本例では、鍵更新センタ５００から発信端末１００に更新されたマスタ鍵が配付され、発信端末１００は、図７を参照して説明した方法に従って暗号化用ユーザ鍵を生成し、生成された暗号化用ユーザ鍵で位置情報を暗号化して着信端末３００に送る。
【００４９】
鍵更新センタ５００は、着信端末電話番号データベースから着信端末３００の電話番号を取り出し、その電話番号を利用して、図７に示された方法に従って、着信端末３００の専用の復号化ユーザ鍵を生成し、着信端末３００に配布する。
着信端末３００では、発信端末１００から獲得した暗号化位置情報を、鍵更新センタ４００から配布された復号化鍵を用いて復号化するが、暗号化用ユーザ鍵と、復号化ユーザ鍵を生成する際に利用された着信端末電話番号が一致しない場合には、着信端末３００で正しく復号化できない。
【００５０】
図７は、本発明の第７の実施例のシステムの構成図であり、発信端末１００、着信端末３００及び鍵更新センタ５００が電話交換網７００を介して接続され、発信端末１００から着信端末３００に暗号化位置情報が送られ、鍵更新センタ５００から発信端末１００及び着信端末３００に更新されたマスタ鍵及びユーザ鍵（ワーク鍵）が配送される。すなわち、本例では、更新された鍵は電話交換網７００を介して配信され、鍵の更新は、前述のユーザ鍵を利用した方法で行われる。
【００５１】
発信端末１００は、位置情報記憶部１３０に記憶された位置情報を発信時に暗号化する暗号化部１２１と、暗号化のためのマスタ鍵を隠匿して保持するマスタ鍵記憶部１５２と、鍵更新センタ５００から受信した更新されたマスタ鍵でマスタ鍵記憶部１５２に記憶されたマスタ鍵を更新するマスタ鍵更新部１５１とを有する。また、発信端末１００は、通常の電話機の送受信機能と、発信時に暗号化部で暗号化された位置情報を送信する機能とを有する通信部１１０を有する。
【００５２】
電話交換網７００は、本例では、ユーザ間情報伝送を行なうネットワークであり、電話交換機と回線網とにより構成される。
【００５３】
着信端末３００は、通常の電話機の機能を行う通信部３１０の他に、発信端末から送られてきた暗号化位置情報を復号化する復号化部３２０を有する。復号化部３２０は、ユーザ鍵記憶部３５１に格納された復号化用ユーザ鍵、すなわち、復号化鍵を用いて暗号化位置情報を復号化する。鍵更新部３４１は、電話交換網７００及び通信部３１０を介して鍵更新センタ５００から受けた更新されたユーザ鍵でユーザ鍵記憶部３５１のユーザ鍵を更新する。復号化部３２０で復号化された位置情報は、たとえば、ディスプレイへの表示などを行う表示部３３１に渡される。
【００５４】
鍵更新センタ５００は、マスタ鍵を定期的に更新する鍵更新部５１２と、更新されたマスタ鍵を保存するマスタ鍵記憶部５１１と、更新されたマスタ鍵を用いてユーザ鍵を生成するユーザ鍵生成部５１３と、更新されたマスタ鍵を発信端末１００に配信し、更新されたユーザ鍵を定期契約をしている着信端末３００に配信する鍵配送部５２０とを有する。鍵配送部５２０は、配送先の電話番号を発信端末電話番号データベース５１５及び着信端末電話番号データベース５１４から取得する。
【００５５】
図１０は、本発明の第７の実施例のシステムにおけるシーケンスチャートであり、以下、シーケンスチャートに沿って本システムの動作を説明する。
【００５６】
まず、位置情報を知らせる発信者が発信端末で着信端末の電話番号をダイヤルする（ステップ１００）と、発信端末の暗号化部は、マスタ鍵と着信端末の電話番号を使って位置情報を暗号化する（ステップ１０１）。発信端末は、着信端末に発呼して、暗号化された位置情報を送信する（ステップ１０２）。本実施例では、ISDN回線を利用し、Setup時にUUI［ユーザ・ユーザ・情報］で、この暗号化された位置情報を送信することができる。尚、ISDN回線以外であれば、モデム信号、DTMF信号、アウトチャンネル（音声帯域外）通信などで送信する。発信端末１００から送信された呼は、交換網を介して着信端末に着信する（ステップ１０３）。
【００５７】
着信端末は、位置情報を受けると、位置情報を復号化し（ステップ１０４）、復号化された位置情報を適当なフォーマットで表示する（ステップ１０５）。次に、着信端末で着信を受け、着信者がオフフックし（ステップ１０６）、着信端末は交換網に応答信号を返信する（ステップ１０７）。応答信号を受けた交換網は、発信端末と着信端末の呼接続を行なう（ステップ１０８）。
【００５８】
次に、本発明の第７の実施例のシステムの各装置における動作をプログラムとして構築した場合について、図１１乃至１３のフローチャートを参照して説明する。
【００５９】
図１１は、本発明の第８の実施例の発信端末に搭載されるプログラムのフローチャートである。
【００６０】
ステップ２０１）ユーザ（発信者）によりオフフックされた場合にはステップ２０２に移行し、そうでない場合にはステップ２０９）に移行する。
【００６１】
ステップ２０２）ユーザが着信端末の電話番号を入力する。
【００６２】
ステップ２０３）マスタ鍵と着信端末の電話番号を使い位置情報を前述の方法で暗号化し、暗号化位置情報を生成する。
【００６３】
ステップ２０４）着信端末に発呼し、暗号化位置情報を送信する。このとき、ISDNであれば、セットアップ時にUUIで送信が可能であり、ISDN以外であれば、モデム信号、DTMF信号、アウトチャンネル通信などで送信するものとする。
【００６４】
ステップ２０５）着信端末との接続に成功した場合には、ステップ２０６に移行し、そうではない場合にはステップ２１５に移行する。
【００６５】
ステップ２０６）着信端末との通話を開始する。
【００６６】
ステップ２０７）着信端末、又は、自端末からの切断要求が発行された場合、又は、オンフックされた場合にはステップ２０８に移行する。
【００６７】
ステップ２０８）呼の切断処理を行なう。
【００６８】
ステップ２０９）発信者によってオフフックされていない場合、着信であればステップ２１０に移行し、そうでなければ待機する。
【００６９】
ステップ２１０）（鍵更新センタの）発信者番号通知などの既存の方式で鍵更新センタからの着信かどうかを判定し、鍵更新センタからの着呼であればステップ２１１に移行し、そうでなければステップ２１４に移行する。
【００７０】
ステップ２１１）マスタ鍵を取り出す。特に、UUI送信の場合には、Setupデータ中のUUIからマスタ鍵を取り出す。
【００７１】
ステップ２１２）前述の方法で発信端末が保持するマスタ鍵を更新する。
【００７２】
ステップ２１３）呼の切断処理を行う。
【００７３】
ステップ２１４）通常の電話機能によって着信動作を行う。
【００７４】
ステップ２１５）着信端末との接続が失敗した場合にはエラー処理を行なう。
【００７５】
図１２は、本発明の第９の実施例の着信端末に搭載されるプログラムのフローチャートである。
【００７６】
ステップ３０１）交換網を介して着信した場合にはステップ３０２に移行し、そうでない場合には待機する。
【００７７】
ステップ３０２）（鍵更新センタの）発信者番号通知などの既存の方式で鍵更新センタからの着信かどうかを判定し、鍵更新センタからの着呼であればステップ３１２に移行し、そうでなければステップ３０３に移行する。
【００７８】
ステップ３０３）位置情報を受信した場合にはステップ３０４に移行し、そうでない場合にはステップ３０７に移行する。
【００７９】
ステップ３０４）暗号化位置情報を受信した場合には、暗号化位置情報を抽出、取得する。UUIで送信された場合には、Setupデータの中のUUIを解釈して、暗号化位置情報を取得する。
【００８０】
ステップ３０５）暗号化位置情報を前述の方法で復号化する。
【００８１】
ステップ３０６）復号化された位置情報を着信端末のディスプレイに表示させる。
【００８２】
ステップ３０７）着信があると着信音が鳴動する。
【００８３】
ステップ３０８）発信端末との接続が成功したかどうかを判定し、成功した場合にはステップ３０９に移行し、そうでない場合にはステップ３１５に移行する。
【００８４】
ステップ３０９）発信端末との通話を開始して、応答信号を発信端末に返却する。
【００８５】
ステップ３１０）発信端末、若しくは、自端末からの切断要求、又は、オンフックが行なわれた場合に、ステップ３１３に移行し、そうでない場合、オンフックを待機する。
【００８６】
ステップ３１１）呼の切断を行なう。
【００８７】
ステップ３１２）ユーザ鍵を取り出す。特に、UUI送信の場合には、Setupデータ中のUUIからユーザ鍵を取り出す。
【００８８】
ステップ３１３）前述の方法で着信端末が保持するユーザ鍵を更新する。
【００８９】
ステップ３１４）呼の切断処理を行う。
【００９０】
ステップ３１５）発信端末との接続に失敗した場合には所定のエラー処理を行なう。
【００９１】
図１３は、本発明の第１０の実施例の鍵更新センタに搭載されるプログラムのフローチャートである。
【００９２】
ステップ４０１）鍵を更新すべき鍵更新日時（例えば、毎月１日の午前０時）になった場合、ステップ４０２に移行し、そうでない場合には待機する。
【００９３】
ステップ４０２）前述の方法、たとえば、一方向性ハッシュ関数を用いた擬似乱数発生方法で、乱数を発生させる。
【００９４】
ステップ４０３）発生された乱数を更新された新マスタ鍵として設定する（メモリに保存する）。
【００９５】
ステップ４０４）発信端末電話番号データベースからマスタ鍵を配送すべき発信端末の電話番号を取り出す。
【００９６】
ステップ４０５）発信端末に更新後の新マスタ鍵を配送する。
【００９７】
ステップ４０６）未だマスタ鍵を配送していない発信端末がある場合にはステップ４０４に移行し、そうでない場合にはステップ４０７に移行する。
【００９８】
ステップ４０７）着信端末電話番号データベースから、ユーザ鍵を配送すべき着信端末（すなわち、定期契約者）の電話番号を取り出す。
【００９９】
ステップ４０８）マスタ鍵と着信端末電話番号とを用いて前述の方法で、着信端末毎に固有のユーザ鍵を生成する。
【０１００】
ステップ４０９）着信端末に更新後の新ユーザ鍵を配送する。
【０１０１】
ステップ４１０）未だユーザ鍵を配送していない定期契約中の着信端末がある場合にはステップ４０７に移行し、そうでない場合には鍵更新処理を終了する。
【０１０２】
ここまでの実施例では、着信側における暗号化位置情報は、たとえば、パーソナルコンピュータのような着信端末本体で、典型的に、ソフトウェアによって行われている場合について説明した。しかし、着信側における復号化は、着信端末に接続されたデコーダモジュールによって実現することも可能である。
【０１０３】
図１４は、本発明の第１１の実施例のシステム構成図であり、デコーダモジュールは、発信端末から見た場合に、着信端末の下流側に接続されている。例えば、デコーダモジュールがパソコンに実装されているような形態である。このようなデコーダモジュールの接続形態の場合、着信端末は、発信端末から送られてきた暗号化位置情報をデコーダモジュールに渡すと、復号化結果の位置情報がデコーダモジュールから返送される。鍵更新センタは、更新後の復号化鍵をデコーダモジュールに配送するので、鍵配送方式は、鍵更新センタ及びデコーダモジュールを供給する事業者が適宜設定することができる。
【０１０４】
図１５は、本発明の第１２の実施例のシステム構成図であり、デコーダモジュールは、発信端末から見た場合に、着信端末の上流側に接続されている。たとえば、デコーダモジュールはターミナルアダプタのような形態で実現される。このようなデコーダモジュールの接続形態の場合、着信端末は、発信端末から送られてきた暗号化位置情報がデコーダモジュールで復号化された結果の位置情報をそのまま取得することができる。また、典型的に、同じ事業者によって提供される発信端末とデコーダモジュールが交換網を介して接続されているので、ユーザを煩わせることなく、発信端末とデコーダモジュールの間で通信シーケンスを決めることができる。また、着信端末本体には、デコーダモジュールとの接続以外には通信機能が無くても構わない。
【０１０５】
以上、本発明の代表的な実施例を説明したが、本発明は、上記の実施例に限定されることなく、特許請求の範囲内において、種々変更・応用が可能である。
【０１０６】
【発明の効果】
以上の説明の通り、本発明によれば、発信端末に位置情報を保持しているので、通信時に着信端末で位置情報を得ることができる。位置情報取得時に交換機網外で発信端末のＩＤ（電話番号）を使用しないので、発信端末のID（電話番号が）発信者・着信者の両方に秘匿される。また、復号化サービスを受ける着信者に確実に課金をすることができる。
【０１０７】
さらに、本発明によれば、着信端末として特番を使用しないので、着信端末が限定されない。位置情報は暗号化されているので、位置情報の改竄が防止できる。
その上、本発明によれば、発信端末は、位置情報と、暗号化鍵を使って位置情報を暗号化する手段とを有し、定期的に（契約期限時には必ず）更新される暗号化鍵を使って位置情報を暗号化して着信端末に送信する。着信端末は、復号化鍵と、復号化鍵を使って暗号化位置情報を復号化する手段とを有し、契約時、或いは、発信端末の暗号化鍵更新時に鍵更新センタから配布された符号化鍵を使って、発信端末から送られてきた暗号化位置情報を復号化し、位置情報を取得する。これにより、契約期限以降、位置情報の取得が確実に不可能になる。また、位置センタを利用しないので、復号化時の通信コストが低減されるという利点が得られる。
【０１０８】
また、鍵更新センタから着信端末へ着信端末電話番号を入れ込んだ鍵を配布しておくことで、発信端末で着信端末電話番号を入れ込んだ鍵を生成して位置情報を暗号化して送信したときに、着信端末で復号化して位置情報を得ることができる。これにより、契約した着信端末への着信に限定して復号化が可能であり、鍵の不正使用が防止される。
【図面の簡単な説明】
【図１】本発明の原理構成図である。
【図２】本発明の第１の実施例のシステム構成図である。
【図３】本発明の第２の実施例のシステムの略構成図である。
【図４】本発明の第３の実施例のシステムの略構成図である。
【図５】本発明の第４の実施例の鍵更新方法の説明図である。
【図６】本発明の第５の実施例の鍵更新方法の説明図である。
【図７】本発明の第６の実施例のユーザ鍵の生成法の説明図である。
【図８】本発明の第６の実施例のシステムの略構成図である。
【図９】本発明の第７の実施例のシステムの構成図である。
【図１０】本発明の第７の実施例のシステムにおけるシーケンスチャートである。
【図１１】本発明の第８の実施例の発信端末に搭載されるプログラムのフローチャートである。
【図１２】本発明の第９の実施例の着信端末に搭載されるプログラムのフローチャートである。
【図１３】本発明の第１０の実施例の鍵更新センタに搭載されるプログラムのフローチャートである。
【図１４】本発明の第１１の実施例のシステムの構成図である。
【図１５】本発明の第１２の実施例のシステムの構成図である。
【符号の説明】
１    発信端末
３    着信端末
５    鍵更新センタ
７    交換網
１１    発信端末通信手段
１２    暗号化手段
１３    位置情報記憶手段
１４    暗号化鍵更新手段
１５    暗号化鍵記憶手段
３１    着信端末通信手段
３２    復号化手段
３３    位置情報処理手段
３４    復号化鍵更新手段
３５    復号化鍵記憶手段
５１    鍵更新手段
５２    鍵配送手段
【図１】
0003719090.tif 000002
【図２】
0003719090.tif 000003
【図３】
0003719090.tif 000004
【図４】
0003719090.tif 000005
【図５】
0003719090.tif 000006
【図６】
0003719090.tif 000007
【図７】
0003719090.tif 000008
【図８】
0003719090.tif 000009
【図９】
0003719090.tif 000010
【図１０】
0003719090.tif 000011
【図１１】
0003719090.tif 000012
【図１２】
0003719090.tif 000013
【図１３】
0003719090.tif 000014
【図１４】
0003719090.tif 000015
【図１５】
0003719090.tif 000016